(57)【要約】      （修正有）【課題】電源部品に接着剤注入によって封止する場合に、接着剤が外部に溢れ出すことを避ける、ＬＥＤ照明器具を提供する。【解決手段】少なくともランプハウジング本体１、電源部品３及び電源蓋部２を有し、ランプハウジング本体１に電源収容部１１を有し、電源収容部１１内に電源部品３を収容でき、電源収容部１１に電源蓋部２を蓋で閉じるようにして設置されることによって電源収容チャンバ及び接着剤オーバーフロースペースを形成し、電源部品３は接着剤注入によって電源収容チャンバ内に固定され、接着剤オーバーフロースペースは、電源蓋部２で電源収容部１１を閉じた時に、電源収容チャンバから溢れ出した接着剤を収容するように電源収容チャンバの外側に位置する。【選択図】図１
0003218264.tif 000002
【実用新案登録請求の範囲】
【請求項１】
少なくともランプハウジング本体、電源部品及び電源蓋部を有し、
前記ランプハウジング本体に電源収容部を有し、
前記電源収容部内に前記電源部品を収容でき、前記電源収容部に前記電源蓋部を蓋で閉じるように設置することによって電源収容チャンバ及び接着剤オーバーフロースペースを形成し、
前記電源部品は、接着剤注入によって前記電源収容チャンバ内に固定され、
前記接着剤オーバーフロースペースは、前記電源蓋部で前記電源収容部を閉じた時に、前記電源収容チャンバから溢れ出した接着剤を収容するように前記電源収容チャンバの外側に位置することを特徴とする、ＬＥＤ照明器具。
【請求項２】
前記電源収容部は内外部に環設された第１環壁部及び第２環壁部を有し、
前記電源蓋部は、前記第１環壁部及び第２環壁部に対応する第３環壁部及び第４環壁部を有し、
前記電源蓋部で前記電源収容部を閉じた時、前記第３環壁部と前記第１環壁部が突合せ接続し、前記第４環壁部と前記第２環壁部が突合せ接続することで、前記第３環壁部及び前記第１環壁部の内側に前記電源収容チャンバが形成され、前記第３環壁部及び前記第１環壁部の外側、並びに前記第４環壁部及び前記第２環壁部の内側に前記接着剤オーバーフロースペースが形成されることを特徴とする、請求項１に記載のＬＥＤ照明器具。
【請求項３】
前記接着剤オーバーフロースペースは、相互連通した狭いオーバーフロー通路及び広いオーバーフローチャンバを有し、
前記第１環壁部は、前記オーバーフローチャンバに対応する端面部にオーバーフロー口を有し、残りの端面部は平坦であることを特徴とする、請求項２に記載のＬＥＤ照明器具。
【請求項４】
前記第３環壁部は、前記オーバーフロー口に対応する端面部に、前記オーバーフロー口と一致するブロックを有することを特徴とする、請求項３に記載のＬＥＤ照明器具。
【請求項５】
前記狭いオーバーフロー通路は、前記電源収容部の長辺に沿って設置され、
前記広いオーバーフローチャンバは、前記電源収容部の短辺に沿って設置されることを特徴とする、請求項３に記載のＬＥＤ照明器具。
【請求項６】
前記電源蓋部は、前記第４環壁部より高い保持壁をさらに有し、
前記保持壁は、前記第４環壁部または第４環壁部内側の前記オーバーフロー通路に対応する位置に設置されることを特徴とする、請求項３に記載のＬＥＤ照明器具。
【請求項７】
第１シールリングをさらに有し、
前記第１シールリングは、第１環壁部及び第３環壁部の間に圧着設置されることを特徴とする、請求項２〜５のいずれか一項に記載のＬＥＤ照明器具。
【請求項８】
絶縁箱をさらに有し、
前記電源部品が前記絶縁箱内に設置され、前記絶縁箱が前記電源収容部内に設置されることを特徴とする、請求項１〜５のいずれか一項に記載のＬＥＤ照明器具。
【請求項９】
ＬＥＤモジュールをさらに有し、
前記ランプハウジング本体は、前記電源収容部と隔離された光源設置部をさらに有し、
前記ＬＥＤモジュールは前記光源設置部に設置されることを特徴とする、請求項１〜５のいずれか一項に記載のＬＥＤ照明器具。
【請求項１０】
前記光源設置部は、光源チャンバ台座及びレンズ枠を有し、
前記ＬＥＤモジュールは、前記光源チャンバ台座に設置され、レンズ枠によって前記光源チャンバ台座に圧着固定されることを特徴とする、請求項９に記載のＬＥＤ照明器具。
【請求項１１】
前記ＬＥＤモジュールは、それぞれＬＥＤ回路板、第２シールリング及びレンズを有し、
前記ＬＥＤ回路板は、前記光源チャンバ台座に固定され、
前記第２シールリングとレンズが共に前記ＬＥＤ回路板を覆うように光源チャンバ台座に貼り合わせて、
すべての前記レンズ枠をすべての前記ＬＥＤモジュールに圧着封止し、前記光源チャンバ台座に固定することを特徴とする、請求項１０に記載のＬＥＤ照明器具。
【請求項１２】
前記レンズ枠のフレームをレンズに押下し、押下圧力を第２シールリングに作用させることで、ＬＥＤモジュールを加圧封止することを特徴とする請求項１１に記載のＬＥＤ照明器具。
【請求項１３】
前記ＬＥＤモジュールは、それぞれさらに液状シリカゲルを有し、
前記液状シリカゲルは、前記レンズ枠、レンズ、及び第２シールリングが接触する部位の外側又は内側に塗布され、
レンズ枠をＬＥＤモジュールに加圧固定した後、液状シリカゲルが硬化することを特徴とする、請求項１２に記載のＬＥＤ照明器具。
【請求項１４】
前記レンズ枠がネジによってＬＥＤモジュールに加圧固定され、前記光源チャンバ台座に接続固定されることを特徴とする請求項１２に記載のＬＥＤ照明器具。
【請求項１５】
前記ランプハウジング本体の光源設置部の正面がＬＥＤモジュールの出光面であり、
前記ランプハウジング本体の光源設置部の裏面に放熱フィンが配置されることを特徴とする、請求項９に記載のＬＥＤ照明器具。
【請求項１６】
前記光源設置部と前記電源収容部の間の部位に、ランプハウジングの夾角内側の水滴を落下させるために用いられ、断熱の役割を果たす貫通孔列が設置されることを特徴とする、請求項９に記載のＬＥＤ照明器具。
【請求項１７】
ホルダー及びノブをさらに有し、
前記ホルダーはノブによって前記ランプハウジング本体に設置されることで、前記ランプハウジング本体が前記ホルダーに対して回転できることを特徴とする請求項９に記載のＬＥＤ照明器具。
【請求項１８】
前記ノブとランプハウジングの間に接続され、緩みを防止する役割を果たす歯型座金をさらに有することを特徴とする、請求項１６に記載のＬＥＤ照明器具。
【考案の詳細な説明】
【技術分野】
【０００１】
本実用新案はＬＥＤ照明分野に属し、特にＬＥＤ照明器具に関する。
【背景技術】
【０００２】
ＬＥＤ（ＬｉｇｈｔＥｍｉｔｔｉｎｇＤｉｏｄｅ、発光ダイオード）照明裝置は、例えば室内照明、室外照明、ポータブル照明、環境照明等の各種照明場所に広く使用されている。ＬＥＤ照明器具は、省エネ、長寿命、良好な適用性、短い応答時間、環境保護、鮮やかな色彩、純粋な発光色等の利点を有し、照明器具産業の発展の方向性を示すものである。
【０００３】
発光ダイオードの性能は、湿度、温度、機械的振動及び機械的衝撃の影響を極めて受け易く、ＬＥＤ発光素子が正常な使用寿命内に正常に動作することを保証するため、ＬＥＤ照明器具の構成部品が良好な防水性能、放熱性能、機械的振動防止性能及び機械的衝撃防止性能等を有することが要求される。また、照明器具の使用環境に応じて、照明器具に何等かの特別な要求が設けられる。例えば、屋外で使用される街灯には、照明器具が良好な耐紫外線性能と防水性能を有することが要求される。
【０００４】
ＬＥＤ照明器具は電源部品を有し、電源部品の設置は、封止性能及び堅固性を保証する必要性があるため、通常、接着剤が注入封止される。しかしながら、接着剤注入の過程、または圧蓋を閉じる過程で、接着剤が溢れ出すことがあり、接着剤の色が比較的深いため、表面に接着剤の痕跡が残ってしまい、外観に影響してしまう。
【考案の概要】
【考案が解決しようとする課題】
【０００５】
本実用新案が解決しようとする技術的課題は、電源部品に接着剤注入によって封止する場合に、接着剤が外部へ溢れ出すことを避ける、ＬＥＤ照明器具を提供することにある。
【０００６】
上記の課題を解決するため、少なくともランプハウジング本体、電源部品及び電源蓋部を有し、前記ランプハウジング本体に電源収容部を有し、前記電源収容部内に前記電源部品を収容でき、前記電源収容部に前記電源蓋部を蓋で閉じるようにして設置することによって電源収容チャンバ及び接着剤オーバーフロースペースを形成し、前記電源部品は、接着剤注入によって前記電源収容チャンバ内に固定され、前記接着剤オーバーフロースペースは、前記電源蓋部で前記電源収容部を閉じた時に、前記電源収容チャンバから溢れ出した接着剤を収容するように前記電源収容チャンバの外側に位置する、ＬＥＤ照明器具を提供する。
【０００７】
本実用新案の１つの実施例として、前記電源収容部は内外部に環設された第１環壁部及び第２環壁部を有し、前記電源蓋部は、前記第１環壁部及び第２環壁部に対応する第３環壁部及び第４環壁部を有し、前記電源蓋部で前記電源収容部を閉じた時、前記第３環壁部と前記第１環壁部が突合せ接続し、前記第４環壁部と前記第２環壁部が突合せ接続することで、前記第３環壁部及び前記第１環壁部の内側に前記電源収容チャンバが形成され、前記第３環壁部及び前記第１環壁部の外側、並びに前記第４環壁部及び前記第２環壁部の内側に前記接着剤オーバーフロースペースが形成される。
【０００８】
本実用新案の１つの実施例として、前記接着剤オーバーフロースペースは、相互連通した狭いオーバーフロー通路及び広いオーバーフローチャンバを有し、前記第１環壁部は、前記オーバーフローチャンバに対応する端面部にオーバーフロー口を有し、残りの端面部は平坦である。
【０００９】
本実用新案の１つの実施例として、前記第３環壁部は、前記オーバーフロー口に対応する端面部に、前記オーバーフロー口と一致するブロックを有する。
【００１０】
本実用新案の１つの実施例として、前記狭いオーバーフロー通路は、前記電源収容部の長辺に沿って設置され、前記広いオーバーフローチャンバは、前記電源収容部の短辺に沿って設置される。
【００１１】
本実用新案の１つの実施例として、前記電源蓋部は、前記第４環壁部より高い保持壁をさらに有し、前記保持壁は、前記第４環壁部または第４環壁部内側の前記オーバーフロー通路に対応する位置に設置される。
【００１２】
本実用新案の１つの実施例として、第１シールリングをさらに有し、前記第１シールリングは、第１環壁部及び第３環壁部の間に圧着設置される。
【００１３】
本実用新案の１つの実施例として、絶縁箱をさらに有し、前記電源部品が前記絶縁箱内に設置され、前記絶縁箱が前記電源収容部内に設置される。
【００１４】
本実用新案の１つの実施例として、ＬＥＤモジュールをさらに有し、前記ランプハウジング本体は、前記電源収容部と隔離された光源設置部をさらに有し、前記ＬＥＤモジュールは前記光源設置部に設置される。
【００１５】
本実用新案の１つの実施例として、前記光源設置部は、光源チャンバ台座及びレンズ枠を有し、前記ＬＥＤモジュールは、前記光源チャンバ台座に設置され、レンズ枠によって前記光源チャンバ台座に圧着固定される。
【００１６】
本実用新案の１つの実施例として、前記ＬＥＤモジュールは、それぞれＬＥＤ回路板、第２シールリング及びレンズを有し、前記ＬＥＤ回路板は、前記光源チャンバ台座に固定され、前記第２シールリングとレンズが共に前記ＬＥＤ回路板を覆うように光源チャンバ台座に貼り合わせて、すべての前記レンズ枠をすべての前記ＬＥＤモジュールに圧着封止し、前記光源チャンバ台座に固定する。
【００１７】
本実用新案の１つの実施例として、前記レンズ枠のフレームをレンズに押下し、押下圧力を第２シールリングに作用させることで、ＬＥＤモジュールを加圧封止する。
【００１８】
本実用新案の１つの実施例として、前記ＬＥＤモジュールは、それぞれさらに液状シリカゲルを有し、前記液状シリカゲルは、前記レンズ枠、レンズ、及び第２シールリングが接触する部位の外側又は内側に塗布され、レンズ枠をＬＥＤモジュールに加圧固定した後、液状シリカゲルが硬化する。
【００１９】
本実用新案の１つの実施例として、前記レンズ枠がネジによってＬＥＤモジュールに加圧固定され、前記光源チャンバ台座に接続固定される。
【００２０】
本実用新案の１つの実施例として、前記ランプハウジング本体の光源設置部の正面がＬＥＤモジュールの出光面であり、前記ランプハウジング本体の光源設置部の裏面に放熱フィンが配置される。
【００２１】
本実用新案の１つの実施例として、前記光源設置部と前記電源収容部の間の部位に、ランプハウジングの夾角内側の水滴を落下させるために用いられ、断熱の役割を果たす貫通孔列が設置される。
【００２２】
本実用新案の１つの実施例として、ホルダー及びノブをさらに有し、前記ホルダーはノブによって前記ランプハウジング本体に設置されることで、前記ランプハウジング本体が前記ホルダーに対して回転できる。
【００２３】
本実用新案の１つの実施例として、前記ノブとランプハウジングの間に接続され、緩みを防止する役割を果たす歯型座金をさらに有する。
【００２４】
上記の技術的な手段を採用すると、既存の技術に比べて、本実用新案は以下の効果を有する。
【００２５】
電源蓋部及び電源収容部の関係を以下のように設置する。即ち、連携接続した後に電源収容チャンバ及び接着剤オーバーフロースペースを形成できるように設定し、電源部品を電源収容チャンバの中に設置し、接着剤注入によって電源収容チャンバを充満させる。また、電源蓋部及び電源収容部が接続時に接着剤を圧搾するため、接着剤が電源収容チャンバ外部へ溢れ出す場合がある。本実用新案は、接着剤オーバーフロースペースを電源収容チャンバの外側に設置し、溢れ出した接着剤をその内部に受けることで、接着剤が電源蓋部及び電源収容部の外部へ溢れ出すことを避け、封止性能及び堅固性を保証した上で、外観への影響がないようにする。
【００２６】
ランプ全体が電源設置スペースに対して限制するので、ランプ全体の体積への影響により、接着剤オーバーフロースペースを大きく設置出来ない。そのため、接着剤オーバーフロースペースをオーバーフロー通路及びオーバーフローチャンバに分け、オーバーフロー通路は狭く、オーバーフローチャンバが広くなっている。そうすると、電源収容チャンバの四辺周りが接着剤を受けられる保証の上で、接着剤がオーバーフロー通路を通ってオーバーフローチャンバに流れることで、スペース節約になる。同時に、第１環壁部はオーバーフローチャンバに対応する端面部にオーバーフロー口を有すると、接着剤の過度な注入または接着剤が圧搾された時に、先立ってオーバーフロー口からオーバーフローチャンバに流れることができ、オーバーフローの速度が速すぎるために外部へ溢れ出すことを避けられる。
【図面の簡単な説明】
【００２７】
【図１】本実用新案の一つの実施例におけるＬＥＤ照明器具の分解構造概略図。
【図２】本実用新案の一つの実施例における電源蓋部の構造概略図。
【図３】本実用新案の一つの実施例におけるランプハウジング本体の構造概略図。
【図４】本実用新案の一つの実施例におけるＬＥＤ照明器具の電源蓋部が開いている状態の構造概略図。
【図５】本実用新案の一つの実施例におけるＬＥＤ照明器具の全体的な構造概略図。
【考案を実施するための形態】
【００２８】
本実用新案の上記目的、特徴及び利點を更に明確かつ分かり易くするため、以下、図面を参照しながら本実用新案の具体的な実施形態について詳細に説明する。
【００２９】
以下の説明において、本実用新案を充分に理解できるよう、多くの具体的かつ詳細な説明を記述した。しかしながら、本実用新案は、以下の説明以外にも数多くの異なる形態で実施できるものであり、当業者が本実用新案の技術思想の範囲内でこれを類推できる。よって、本実用新案は、以下に公開する具体的な実施形態に限定されない。
【００３０】
図１〜５に示すように、１つの実施例として、ＬＥＤ照明器具は、少なくともランプハウジング本体１、電源部品３及び電源蓋部２を有する。もちろん、ＬＥＤ照明器具は、例えば光源部品、放熱構造等、その他の必要な構造をさらに含んでよく、ここでは制限しない。電源部品３は、例えばベアボード電源、避雷器、コード等を含む、既存の電源部品であってよい。
【００３１】
前記ランプハウジング本体１に電源収容部１１を有し、前記電源収容部１１内に前記電源部品３を収容できる。電源蓋部２と電源収容部１１が連携接続し、それぞれに雄ネジ及びネジ穴を設置し、ネジ部品によって接続させるが、無論その具体的な実施方法は制限されていない。前記電源収容部１１に前記電源蓋部２を蓋で閉じるようにして設置することによって、電源収容チャンバ及び接着剤オーバーフロースペースを形成できる。前記電源部品３は、接着剤注入によって前記電源収容チャンバ内に固定され、接着剤注入によって電源収容チャンバ全体を充満し、空気隙間を残さない。接着剤注入は、さらに封止の効果があり、したがってときに溢れ出し易い問題が生じる。前記接着剤オーバーフロースペースは、前記電源蓋部２で前記電源収容部１１を閉じた時に、前記電源収容チャンバから溢れ出した接着剤を収容するように前記電源収容チャンバの外側に位置する。
【００３２】
電源蓋部２及び電源収容部１１の関係を以下のように設置する。即ち、連携接続した後に電源収容チャンバ及び接着剤オーバーフロースペースを形成できるように設定し、電源部品３を電源収容チャンバの中に設置し、接着剤注入によって電源収容チャンバを充満させる。また、電源蓋部２及び電源収容部１１が接続時に接着剤を圧搾するため、接着剤が電源収容チャンバ外部へ溢れ出す場合がある。本実用新案は、接着剤オーバーフロースペースを電源収容チャンバの外側に設置し、溢れ出した接着剤をその内部に受けることで、接着剤が電源蓋部２及び電源収容部１１の外部へ溢れ出すことが避けられ、封止性能及び堅固性を保証した上で、外観への影響がないようにする。
【００３３】
１つの実施例として、図１〜３に示すように、前記電源収容部１１は、内外部に環設された第１環壁部１１１及び第２環壁部１１２を有し、前記電源蓋部は、前記第１環壁部１１１及び第２環壁部１１２に対応する第３環壁部２１及び第４環壁部２２を有する。これらの環壁の具体的な形状は、実際の場合によって定めることができ、円形、楕円形、矩形、不規則形状などであってよく、限定されない。本実施例では、好ましいものとして長方形が選択される。
【００３４】
前記電源蓋部２で前記電源収容部１１を閉じた時、前記第３環壁部２１と前記第１環壁部１１１が突合せ接続し、前記第４環壁部２２と前記第２環壁部１１２が突合せ接続することで、前記第３環壁部２１及び前記第１環壁部１１１の内側に前記電源収容チャンバが形成され、前記第３環壁部２１及び前記第１環壁部１１１の外側、並びに前記第４環壁部２２及び前記第２環壁部１１２の内側に前記接着剤オーバーフロースペースが形成される。
【００３５】
つまり、電源収容チャンバ及び接着剤オーバーフロースペースが第１環壁部１１１及び第３環壁部２１よって隔絶され、また、接着剤オーバーフロースペースが第２環壁部１１２及び第４環壁部２２によって外周を囲まれる。このように設置することで、接着剤オーバーフロースペースが電源収容チャンバの四辺周り方向に配置され、電源収容チャンバがどの方位から溢れ出しても、接着剤オーバーフロースペースで受けられる。
【００３６】
更に、前記接着剤オーバーフロースペースは、相互連通した狭いオーバーフロー通路及び広いオーバーフローチャンバを有し、前記第１環壁部１１１は、前記オーバーフローチャンバに対応する端面部にオーバーフロー口１１１１を有し、残りの端面部は平坦である。前記実施例を基礎に、接着剤オーバーフロースペースは、事実上環形スペースであり、その内の一部分をオーバーフロー通路、他の一部分をオーバーフローチャンバにすることができ、また、これらの部分は同時に相互連結されている。狭さ及び広さは横断面の幅と比較したものである。オーバーフロー口１１１１は好ましくは円形であるが、それらに限定されず、その他の形状も適用できる。
【００３７】
ランプ全体が電源設置スペースに対して限制するので、ランプ全体の体積への影響により、接着剤オーバーフロースペースを大きく設置出来ないため、接着剤オーバーフロースペースをオーバーフロー通路及びオーバーフローチャンバに分け、オーバーフロー通路は狭く、オーバーフローチャンバが広くなっている。電源収容チャンバの四辺周りが接着剤を受けられる保証の上で、接着剤がオーバーフロー通路を通ってオーバーフローチャンバに流れることで、スペース節約になる。同時に、第１環壁部１１１はオーバーフローチャンバに対応する端面部にオーバーフロー口１１１１を有し、接着剤注入の充溢または接着剤が圧搾された（圧搾要因は、例えば、もとは接着剤からはみ出したコード等が、電源蓋部の圧搾により接着剤に押し込まれて、接着剤が溢れ出す原因となる。）時に、先立ってオーバーフロー口１１１１からオーバーフローチャンバに流れることができ、オーバーフローの速度が速すぎるために外部へ溢れ出しすのを避けられる。
【００３８】
好ましくは、前記第３環壁部２１は、前記オーバーフロー口１１１１に対応する端面部に、前記オーバーフロー口１１１１と一致するブロックを有する。ブロックは、電源蓋部２及び電源収容部１１が接続する時、溝口が一致であるので、電源収容チャンバの封止性能を保証できる。
【００３９】
好ましくは、前記狭いオーバーフロー通路は、前記電源収容部１１の長辺に沿って設置され、前記広いオーバーフローチャンバは、前記電源収容部１１の短辺に沿って設置される。つまり、オーバーフロー通路が電源収容部１１の長辺外側に設置され、オーバーフローチャンバが電源収容チャンバの短辺方向に設置される。本実施例の長さ及び幅は、電源収容チャンバの端面開口から決定するものである。本実施例では、電源収容部は矩形、即ち扁平状であり、オーバーフローチャンバは短辺外側に設置され、オーバーフロー通路は長辺外側に設置される。
【００４０】
１つの実施例として、図２に示すように、前記電源蓋部２は、前記第４環壁部２２より高い保持壁２３をさらに有し、前記保持壁２３は、前記第４環壁部２２または第４環壁部２２内側の前記オーバーフロー通路に対応する位置に設置される。
【００４１】
保持壁２３の長さはオーバーフロー通路の長さと同じか同じくらいであり、接着剤がオーバーフロー通路に流れると、保持壁２３の高さが第４環壁部より高いため、接着剤が直接第４環壁部２２及び第２環壁部１１２の合致部に進入するのを阻み、灰色の接着剤がランプハウジング本体１及び電源蓋部２の合致部を汚すのを防止する。よって、細い合致部を通って接着剤が電源収容チャンバ外壁に流れて見られることを防止できる効果がある。
【００４２】
１つの実施例として、ＬＥＤ照明器具は第１シールリング４をさらに有する。前記第１シールリング４は、第１環壁部１１１及び第３環壁部２１の間に圧着設置される。第１シールリング４は第３環壁部２１に設置できる。しかしながら、ネジを締めてランプハウジング本体１及び電源蓋部２を接続させる過程に従い、第１シールリングが圧迫変形（オーバーフロー口１１１１の部分も含む）し、電源収容チャンバ全体の封止性を保証する。圧搾過程で、第１シールリング４の圧迫変形に従い、内部の接着剤が更に四辺周りの任意方向から溢れ出し、オーバーフロー通路またはオーバーフローチャンバ内に流れ込む。
【００４３】
１つの実施例として、ＬＥＤ照明器具は絶縁箱５をさらに有する。前記電源部品３が前記絶縁箱５内に設置され、前記絶縁箱５が前記電源収容部１１内に設置される。絶縁箱５は電源部品を制約する作用と同時に絶縁作用も果たし、接着剤注入と同時に、絶縁箱５を接着剤注入によって電源収容チャンバ内に固定する。
【００４４】
１つの実施例として、ＬＥＤ照明器具はＬＥＤモジュール７をさらに有する。前記ランプハウジング本体１は、前記電源収容部１１と隔離された光源設置部をさらに有し、前記ＬＥＤモジュール７は前記光源設置部に設置される。
【００４５】
光源設置部と電源収容部１１の間は隔離壁などの隔離構造によって相互隔離でき、ＬＥＤモジュール７及び電源部品３が作動する時にそれぞれが発生する熱量を一定程度隔絶して、相互間の影響を減少させ、ランプの使用寿命を延長できる。
【００４６】
隔離壁に電気穿設部が設置され、光源設置部と電源収容部１１の間の電気接続部品を穿設するのに用いられる。電気穿設部の具体方法は限制されず、例えば回路板を用いて隔離壁の一部分とすることができるが、もちろんその他の方法でもよい。
【００４７】
電気穿設部が通線孔であるが、それに制限されず任意に選択できる。通線孔は、ＬＥＤモジュールと電源部品の間の電気接続線を穿設するために用いられ、電気接続線は好ましくは防水線である。隔離壁に直接通線孔を開設し、リード線を穿設することによって、ＬＥＤモジュールと電源部品を接続すれば、製造コストを大幅に削減でき、更に熱の伝達も減少させることができる。好ましくは、通線孔内にシールリングを設置することができ、シールリングは、くさび形シリカゲルリングであってもよく、且つシールリングをベースに接着剤注入による封止を行い、ＬＥＤモジュールの高い防護レベルを実現する。シールリングの設置によって注入した接着剤の流動を防止でき、両者を組み合わせることによって更に良好な封止効果が得られる。
【００４８】
続いて、図１に示すように、任意選択的に、前記光源設置部は、光源チャンバ台座１２及びレンズ枠６を有し、前記ＬＥＤモジュール７は、前記光源チャンバ台座１２に設置され、レンズ枠６によって前記光源チャンバ台座１２に圧着固定される。容易に設置できる。
【００４９】
好ましくは、前記ＬＥＤモジュール７は、それぞれＬＥＤ回路板７３、第２シールリング７２及びレンズ７１を有する。前記ＬＥＤ回路板７３は、前記光源チャンバ台座１２に固定され、ＬＥＤ回路板７３は例えばＬＥＤランプビーズ及びアルミ基板を含むことができ、溶接加工によって接続設置できるが、それらに制限されない。アルミ基板は、例えばセラミック基板などその他基板に置換できる。前記第２シールリング７２とレンズ７１が共に前記ＬＥＤ回路板を覆うように光源チャンバ台座１２に貼り合わせて、すべての前記レンズ枠６をすべての前記ＬＥＤモジュール７に圧着封止し、前記光源チャンバ台座１２に固定する。レンズ７１とレンズ７１を固定するレンズ枠６は分離して設置され、ＬＥＤモジュールを加圧封止した時にレンズが凸起するのを防止できる。
【００５０】
前記レンズ枠６のフレームをレンズ７１に押下し、押下圧力を第２シールリング７２に作用させることで、ＬＥＤモジュール７を加圧封止し、第２シールリング７２の内縁または第２シールリング７２全体に作用する。レンズ７１、第２シールリング７２を加圧することによって、ＬＥＤモジュール７を加圧封止する。
【００５１】
前記レンズ枠６がネジによってＬＥＤモジュール７に加圧固定され、またネジによって前記光源チャンバ台座１２に接続固定され、無論その具体的な方法は限定されず任意に選択できる。任意選択的に、前記ＬＥＤモジュールは、それぞれさらに液状シリカゲルを有し、前記液状シリカゲルは、前記レンズ枠６、レンズ７１、及び第２シールリング７２が接触する部位の外側又は内側に塗布され、レンズ枠６をＬＥＤモジュール７に加圧固定した後、液状シリカゲルが硬化する。
【００５２】
具体的には、レンズ７１は外縁を有し、サイズが一致する第２シールリング７２が外縁下方に設置され、レンズ枠６がレンズ７１の外縁と一致し、外縁の上方に押圧され、レンズ枠６は光源チャンバ台座１２を下方に押圧して接続固定し、光源チャンバを形成する。レンズ枠６はレンズと連携してＬＥＤモジュール７のＬＥＤ回路板７３を光源チャンバ内に封止する。レンズ枠６を用いてレンズ７１上の第２シールリング７２加圧固定し、第２シールリング７２の受力を均等にさせ、安定性が良好で、更に良好な封止性能有する。
【００５３】
好ましくは、前記ランプハウジング本体１の光源設置部１２の正面がＬＥＤモジュール７の出光面であり、前記ランプハウジング本体１の光源設置部１２の裏面に放熱フィンが配置される。複数の放熱フィンは、ＬＥＤモジュール７が必要とする放熱範囲に一定な間隔をもって全面に配置できる。ＬＥＤモジュール７の裏面に複数の放熱フィンを設置することにより、ランプの放熱性能を強化できる。
【００５４】
好ましくは、前記光源設置部１２と前記電源収容部１１の間の部位に、ランプハウジング本体１の夾角内側の水滴を落下させるために用いられ、断熱の役割を果たす貫通孔列１３が設置される。孔列１３は一列の楕円形の孔であってもよい。孔列１３は、ランプハウジング本体１の夾角内側の水滴を落下させ、排水するために用いられるだけでなく、断熱の役割も果たし、ＬＥＤモジュール７及び電源部品３によって発生する熱を更に隔離させ、相互間の干渉を減少させて、一定の気流を発生させることによって、ランプを冷却できる。
【００５５】
更に、ＬＥＤ照明器具はホルダー９及びノブ８をさらに有する。ホルダー９はノブ８によってランプハウジング本体１の光源設置部１２と電源収容部１１の間の両側に設置され、ランプハウジング本体１がホルダー９に対して回転できる。ホルダー９はランプハウジング本体１を回転させることができ、例えば３６０度回転又は３４０度回転させ、ランプの多角度での出光を実現し、光面調整に有利である。
【００５６】
好ましくは、ＬＥＤ照明器具は歯型座金１０をさらに有する。歯型座金１０は、ノブとランプハウジングの間に接続され、緩みを防止する役割を果たす。ノブ９と歯型座金１０がホルダー９を締め付け、ランプハウジング本体１を固定する。出光方向を調整する場合には、ノブ９を緩めて、ランプハウジング本体１の角度を調整して実現できる。
【００５７】
本実用新案は、上記の通り、好ましい実施例を公開したものであるが、本実用新案の請求範囲を限定するものではなく、当業者が本考案の精神に基づく均等な置換およびその他の改良は、当然、本考案の請求の範囲に含まれるものとする。
【符号の説明】
【００５８】
１  ランプハウジング本体
１１  電源収容部
１１１  第１環壁部
１１１１  オーバーフロー口
１１２  第２環壁部
１２  光源チャンバ台座
１３  孔列
２  電源蓋部
２１  第３環壁部
２２  第４環壁部
２３  保持壁
３  電源部品
４  第１シールリング
５  絶縁箱
６  レンズ枠
７  ＬＥＤモジュール
７１  レンズ
７２  第２シールリング
７３  ＬＥＤ回路板
８  ノブ
９  ホルダー
１０  歯型座金
【図１】
0003218264.tif 000003
【図２】
0003218264.tif 000004
【図３】
0003218264.tif 000005
【図４】
0003218264.tif 000006
【図５】
0003218264.tif 000007
【手続補正書】
【提出日】平成30年8月6日(2018.8.6)
【手続補正１】
【補正対象書類名】実用新案登録請求の範囲
【補正対象項目名】請求項１８
【補正方法】変更
【補正の内容】
【請求項１８】
前記ノブとランプハウジングの間に接続され、緩みを防止する役割を果たす歯型座金をさらに有することを特徴とする、請求項１７に記載のＬＥＤ照明器具。
【手続補正２】
【補正対象書類名】明細書
【補正対象項目名】００５６
【補正方法】変更
【補正の内容】
【００５６】
好ましくは、ＬＥＤ照明器具は歯型座金１０をさらに有する。歯型座金１０は、ノブとランプハウジングの間に接続され、緩みを防止する役割を果たす。ノブ８と歯型座金１０がホルダー９を締め付け、ランプハウジング本体１を固定する。出光方向を調整する場合には、ノブ８を緩めて、ランプハウジング本体１の角度を調整して実現できる。